(57)【要約】【課題】  アンテナの伸縮動作を容易に行うことが可能な移動体通信端末を提供する。【解決手段】  携帯電話機１００は、携帯電話機１００を持つ指の動きを検知するタッチセンサ６と、タッチセンサ６で検知された指の動きに応じて、アンテナ７を伸縮駆動させるモータ８とを備える。【選択図】  図１
2005303875.tif 000002
【特許請求の範囲】
【請求項１】
伸縮可能なアンテナを有する移動体通信端末であって、
前記移動体通信端末上における指の動きを検知する検知手段と、
前記検知手段により検知された指の動きに応じて、前記アンテナを伸縮駆動するアンテナ駆動手段とを備える移動体通信端末。
【請求項２】
請求項１記載の移動体通信端末であって、
前記検知手段がタッチセンサであり、
前記タッチセンサは、前記移動体通信端末の筐体表面又は筐体内に設けられたものである移動体通信端末。
【請求項３】
請求項１又は２記載の移動体通信端末であって、
前記アンテナ駆動手段は、前記指が前記移動体通信端末上を特定方向に移動したことを前記検知手段により検知した場合に前記アンテナを伸ばす方向に駆動し、前記特定方向とは逆方向に前記指が移動したことを前記検知手段により検知した場合に前記アンテナを縮める方向に駆動するものである移動体通信端末。
【発明の詳細な説明】
【技術分野】
【０００１】
本発明は、伸縮可能なアンテナを有する移動体通信端末に関する。
【背景技術】
【０００２】
移動体通信端末には、携帯電話機やＰＨＳ等があり、いずれも無線信号を送受信する伸縮可能なアンテナを備えている（例えば、特許文献１参照）。通話やデータ通信を行う場合、アンテナは伸ばして使用される。アンテナを伸ばして使用する場合には、アンテナを端末筺体内に収納した場合に比べて送受信性能が著しく向上する。
【０００３】
【特許文献１】特開２００２−２４６８１９号公報
【発明の開示】
【発明が解決しようとする課題】
【０００４】
しかしながら、従来の移動体通信端末にあっては、使用者が両手を使ってアンテナを伸縮させなければならず、その作業が煩わしい。尚、折り畳み式の携帯電話機では、片手で筺体の開閉を行えるものが提供されているが、アンテナの伸縮動作を片手で行えるものは提案されていない。
【０００５】
本発明は、上記事情に鑑みてなされたものであり、アンテナの伸縮動作を片手で行うことが可能な移動体通信端末を提供することを目的とする。
【課題を解決するための手段】
【０００６】
本発明の移動体通信端末は、伸縮可能なアンテナを有する移動体通信端末であって、前記移動体通信端末上における指の動きを検知する検知手段と、前記検知手段により検知された指の動きに応じて、前記アンテナを伸縮駆動するアンテナ駆動手段とを備える。
【０００７】
この構成により、検知手段で検知した指の動きに応じてアンテナを伸縮させることができるため、片手でアンテナを伸縮させることができる便利な移動体通信端末を提供することができる。
【０００８】
又、本発明の移動体通信端末は、前記検知手段がタッチセンサであり、前記タッチセンサは、前記移動体通信端末の筐体表面又は筐体内に設けられたものである。
【０００９】
この構成により、検知手段としてタッチセンサを用い、タッチセンサを筐体表面又は筐体内に設けたため、移動体通信端末の外観を損なうことなく、上記効果を得ることができる。
【００１０】
又、本発明の移動体通信端末は、前記アンテナ駆動手段が、前記指が前記移動体通信端末上を特定方向に移動したことを前記検知手段により検知した場合に前記アンテナを伸ばす方向に駆動し、前記特定方向とは逆方向に前記指が移動したことを前記検知手段により検知した場合に前記アンテナを縮める方向に駆動するものである。
【００１１】
この構成により、例えば、移動体通信端末上を指で特定方向になぞることでアンテナを伸ばすことができ、特定方向とは逆方向になぞることでアンテナを縮めることができる。このため、移動体通信端末の使用者は、アンテナを伸縮させる動作を直感的に行うことができる。
【発明の効果】
【００１２】
本発明によれば、アンテナの伸縮動作を片手で行うことが可能な移動体通信端末を提供することができる。
【発明を実施するための最良の形態】
【００１３】
以下、本発明の実施形態を説明するための移動体通信端末の一例である携帯電話機について、図面を用いて説明する。
図１は、本発明の実施形態を説明するための携帯電話機の概略構成を示す図であり、（ａ）は開いた状態の正面図、（ｂ）は閉じた状態の側面図である。
図１（ａ）に示すように、携帯電話機１００は、上筐体１と、下筐体２と、上筐体１及び下筐体２を開閉自在に連結するヒンジ部３とを備える。上筺体１には、ディスプレイ１１とスピーカの放音孔１２とが設けられている。下筐体２には、テンキーや各種機能キー等のキー操作部４と、マイクの通音孔５とが設けられている。
【００１４】
図１（ｂ）に示すように、下筺体２には、携帯電話機１００を持つ使用者の指の携帯電話機１００に対する動きを検知する検知手段の一例としてのタッチセンサ６と、伸縮可能なアンテナ７と、タッチセンサ６で検知された指の動きに応じてアンテナ７を伸縮駆動するアンテナ駆動手段の一例としてのモータ８とが内蔵されている。
【００１５】
図１（ｂ）に示すように、タッチセンサ６は、下筺体２の側面１４上に検知対象物との接触部分が露出するようにして設けられるか、又は、下筐体２の側面１４の内部に、検知対象物との接触部分が側面１４側に向くようにして埋設される。尚、タッチセンサ６が設けられる部分に、文字や絵柄、図形等が記すようにしても良い。このようにすることで、タッチセンサ６がどこにあるのかを視認することができる。
【００１６】
タッチセンサ６としては静電式や圧電式等が用いられる。例えば、タッチセンサ６が静電式である場合には、携帯電話機１００を持つ使用者の指がタッチセンサ６上を移動するときの静電容量の変化を利用することにより、その指の動きを検知する。
【００１７】
アンテナ７は、モータ８の回転に応じて伸縮する。例えば、モータ８がアンテナ７を伸ばす方向に回転（以下、正転という）すると、アンテナ７は伸び、下筐体２から突出する。又、モータ８が上記回転と逆に回転（以下、逆転という）すると、アンテナ７は縮み、下筐体２に収納される。
【００１８】
図２は、携帯電話機１００の内部構成を示すブロック図である。同図では、携帯電話機に最低限必要な通信部等の図示を省略している。
図２に示すように、携帯電話機１００は、タッチセンサ６と、制御部１３と、モータ８と、表示部１１と、キー操作部４とを備える。
【００１９】
制御部１３は、タッチセンサ６から入力される検知信号（指の動きを示す信号）に応じて、モータ８を正転、停止、逆転させるように制御するとともに、キー操作部４の各キー操作に応じて得られる信号を処理し、信号処理して得た各種情報等を表示部１１に表示させる。
【００２０】
以下、携帯電話機１００の動作を説明する。
携帯電話機１００を用いて通話又はデータ通信をする場合には、使用者が、閉じた状態の携帯電話機１００を片手で握り、下筺体２に対し上筺体１を指で押し開く。次に、下筐体２を握っているいずれかの指、例えば親指をタッチセンサ６上に軽く接触させながら、図１（ｂ）中の下方向から図１（ｂ）中の上方向へと移動させる。
【００２１】
この親指の接触移動によって、タッチセンサ６を構成する静電回路の容量が増加する方向に変化する。これにより、タッチセンサ６は、タッチセンサ６上を下方向から上方向に指が移動したことを検知し、検知信号を制御部１３に入力する。この検知信号を受けた制御部１３は、モータ８を正転させる。これにより、アンテナ７が伸び、アンテナ７は下筺体２から突出する。この結果、続くキー操作による通信相手に対する呼出し、通話、又はデータ通信等を高感度の状態で実施できる。
【００２２】
通話又はデータ通信を終了した後、使用者は、下筺体２を握っている手の親指をタッチセンサ６上に軽く接触させながら上方向から下方向へと移動させる。この親指の接触移動によって、タッチセンサ６を構成する静電回路の容量が減少する方向に変化する。これにより、タッチセンサ６は、タッチセンサ６上を上方向から下方向に指が移動したことを検知し、検知信号を制御部１３に入力する。この検知信号を受けた制御部１３は、モータ８を逆転させる。これにより、アンテナ７が縮み、アンテナ７は下筺体２に収納される。続いて、使用者が携帯電話機１００を閉じることで、一連の通話又はデータ通信作業が終了する。
【００２３】
以上のように、携帯電話機１００によれば、タッチセンサ６で検知した指の動きに応じてアンテナ７を伸縮させることができるため、片手操作により容易にアンテナ７を伸縮させることができる。
【００２４】
又、携帯電話機１００によれば、タッチセンサ６を下筺体２の側面１４上又は側面１４内部に設けている。このため、携帯電話機１００本体に穴を空ける等の構造上の制約がなくなり、携帯電話機１００のデザイン性を損なうことなく、上記効果を得ることができる。
【００２５】
又、携帯電話機１００によれば、タッチセンサ６上を指で下方向から上方向になぞることでアンテナ７を伸ばすことができ、タッチセンサ６上を指で上方向から下方向になぞることでアンテナ７を縮めることができる。このため、アンテナの伸縮動作を直感的に行うことができる。
【００２６】
尚、上記においては、携帯電話機１００を例にして説明したが、ＰＨＳ等の移動体通信端末についても同様に実施することができる。又、２つの筐体が開閉可能になっていない移動体通信端末についても同様に実施することができる。
【図面の簡単な説明】
【００２７】
【図１】本発明の実施形態を説明するための携帯電話機の概略構成を示す図であり、（ａ）は開いた状態の正面図、（ｂ）は閉じた状態の側面図
【図２】本発明の実施形態を説明するための携帯電話機の内部構成を示すブロック図
【符号の説明】
【００２８】
１  上筺体
２  下筺体
３  ヒンジ部
６  タッチセンサ
７  アンテナ
８  モータ
【図１】
2005303875.tif 000003
【図２】
2005303875.tif 000004